(57)【特許請求の範囲】
【請求項１】
遊技球を遊技領域に向けて発射する際に遊技者が操作する遊技機用発射ハンドルにおいて、
前記遊技者に操作される部材であって、所定方向に延びる回転軸線周りで、かつ、回転基準位置から所定の回転角度範囲内で回転可能に配置され、前記所定の回転角度範囲を形成するための複数の案内孔を有する操作部材と、
それら複数の案内孔のうち予め定められた案内孔にそれぞれ挿通され、前記操作部材を前記回転軸線周りで相対的に回転可能に支持する複数の案内突部を有して、遊技機の枠体前面側に取り付けられるハンドル本体と、
前記操作部材が前記ハンドル本体に組み付けられる際の誤組を防止する誤組防止機構と、を備え、
前記誤組防止機構は、前記ハンドル本体の複数の案内突部のうち少なくとも１つが、前記操作部材の前記回転軸線周りにおける前記所定の回転角度範囲以外の残余の角度範囲において、前記操作部材と干渉するように形成されており、前記操作部材が前記ハンドル本体に特定位置でのみ組み付け可能とし、
前記残余の角度範囲において前記操作部材と干渉する前記ハンドル本体の案内突部は、前記ハンドル本体における前記回転軸線からの距離が、該回転軸線から他の案内突部までの距離と異なるように位置して形成されていることを特徴とする遊技機用発射ハンドル。
【請求項２】
前記残余の角度範囲において前記操作部材と干渉する前記ハンドル本体の案内突部は、前記操作部材の案内孔に対応する前記回転軸線における径方向の幅が、他の案内突部の幅と異なるように形成されている請求項１に記載の遊技機用発射ハンドル。
【請求項３】
前記ハンドル本体は、前記枠体前面側に取り付けられるベース部材と、そのベース部材とで前記操作部材を挟み込む形で該ベース部材に一体的に取り付けられたカバー部材とを含み形成され、
前記ベース部材及びカバー部材には、相手側に向かって延設されて互いに組み合う固定部及び取付部が形成され、それら固定部及び取付部が前記操作部材の案内孔を挿通する前記案内突部として兼用される請求項１又は２に記載の遊技機用発射ハンドル。
【請求項４】
前記操作部材を前記回転基準位置側に付勢する捻りバネを備え、
前記捻りバネは、コイル部の一端から延長された第１延長部を前記ハンドル本体の案内突部に係合する一方、該コイル部の他端から延長された第２延長部を前記操作部材に係合する請求項１ないし３のいずれか１項に記載の遊技機用発射ハンドル。
【請求項５】
請求項１ないし４のいずれか１項に記載の遊技機用発射ハンドルを備えることを特徴とする遊技機。
【発明の詳細な説明】
【技術分野】
【０００１】
本発明は、遊技機用発射ハンドル及びそれを備えた遊技機に関する。
【背景技術】
【０００２】
従来より、ぱちんこ機などの遊技機には、球発射装置が遊技球を遊技領域に向けて発射する際に遊技者が操作する遊技機用発射ハンドル（以下、発射ハンドルともいう）が遊技機の前面側に設けられている。一般的に、このような発射ハンドルとしては、特許文献１に記載のように、枠体前面側に固定されるハンドル本体（ハンドルベース，フェイスカバー）と、そのハンドル本体に対して、所定方向に延びる回転軸線周りで、かつ、回転基準位置から所定の回転角度範囲内で相対的に回転可能に配置された操作部材（リングホルダ）と、その操作部材を回転基準位置側に付勢する付勢部材（ねじりバネ）などを備えたものが知られている。そして、このような発射ハンドルは、操作部材の回転量を検出する検出手段（打出強さ調整用ボリューム）などが設けられており、遊技者によって操作部材が直接操作された場合に、その検出した回転量に基づく発射強度で球発射装置が作動して遊技球を遊技領域に向けて発射させるものである。
【特許文献１】特開２００５−１２５００６号公報
【０００３】
ところで、発射ハンドルに用いられる付勢部材は、特許文献１のように、コイル状に巻回された中心部（コイル部）の端部から第１腕部（延長部）及び第２腕部（延長部）が外側に直線上に延びるものが一般的である。そして、その付勢部材は、中心部がリングホルダのセンターボスに遊嵌されて、第１腕部がハンドルベースのバネ固定ボスに固定され、第２腕部がリングホルダのバネ係止部に係止されることにより、リングホルダを回転基準位置側に付勢（復帰）する。
【０００４】
また、リングホルダは、ハンドルベースのカバー取付ボスが挿通される第１及び第２挿通孔を同心円上となるように周辺部に形成している。見方を換えると、第１及び第２挿通孔が、リングホルダにおいてねじりバネの第２腕部が係止されるバネ係止部の外側に位置して形成されている。すなわち、ねじりバネの第２腕部の係止位置によっては、リングホルダが回転したときに第１及び第２挿通孔に挿通されるハンドルベースのカバー取付ボスが第２腕部に干渉してしまうこととなり、第１及び第２挿通孔の形成位置がねじりバネの第２腕部の係止位置によって制約を受けるなど、発射ハンドルの構造設計の自由度を阻害している。
【０００５】
そして、このような制約もあり、第１及び第２挿通孔が同心円上となるように形成されているので、第１及び第２挿通孔をカバー取付ボスに挿通させてリングホルダをハンドルベースに組み付ける際に、誤った位置で組み付けてしまう恐れがある。さらには、その誤組を手直しする作業が増えることにより、不具合を出す可能性も高くなる。
【０００６】
また、第１及び第２挿通孔が周辺部に形成されているので、それに対応するカバー取付ボスが、ハンドルベースにおいて軸部から拡開された本体部に形成されており、遊技者から視認し難い後側ではあるが、ビスが露出した状態となってしまい防犯上好ましくない。さらには、組み立てる際に外側からビス締めすることとなるので、意匠面を傷つける恐れがある。
【発明の開示】
【発明が解決しようとする課題】
【０００７】
本発明は、上記実情に鑑みてなされたものであり、操作部材をハンドル本体に組み付ける際に、誤った位置での組み付けを防止することが可能な遊技機用発射ハンドル及びそれを用いた遊技機を提供することにある。
【課題を解決するための手段】
【０００８】
上記課題を解決するために、本発明の遊技機用発射ハンドルは、
遊技球を遊技領域に向けて発射する際に遊技者が操作する遊技機用発射ハンドルにおいて、
遊技者に操作される部材であって、所定方向に延びる回転軸線周りで、かつ、回転基準位置から所定の回転角度範囲内で回転可能に配置され、所定の回転角度範囲を形成するための複数の案内孔を有する操作部材と、
それら複数の案内孔のうち予め定められた案内孔にそれぞれ挿通され、操作部材を回転軸線周りで相対的に回転可能に支持する複数の案内突部を有して、遊技機の枠体前面側に取り付けられるハンドル本体と、
操作部材がハンドル本体に組み付けられる際の誤組を防止する誤組防止機構と、を備え、
誤組防止機構は、ハンドル本体の複数の案内突部のうち少なくとも１つが、操作部材の回転軸線周りにおける所定の回転角度範囲以外の残余の角度範囲において、操作部材と干渉するように形成されており、操作部材がハンドル本体に特定位置でのみ組み付け可能とし、
前記残余の角度範囲において前記操作部材と干渉する前記ハンドル本体の案内突部は、前記ハンドル本体における前記回転軸線からの距離が、該回転軸線から他の案内突部までの距離と異なるように位置して形成されていることを特徴とする。
【００１０】
また、このような遊技機用発射ハンドルにおいて、残余の角度範囲において操作部材と干渉するハンドル本体の案内突部は、操作部材の案内孔に対応する回転軸線における径方向の幅が、他の案内突部の幅と異なるように形成されていることを特徴とする。
【００１１】
また、このような遊技機用発射ハンドルにおいて、ハンドル本体は、枠体前面側に取り付けられるベース部材と、そのベース部材とで操作部材を挟み込む形で該ベース部材に一体的に取り付けられたカバー部材とを含み形成され、
ベース部材及びカバー部材には、相手側に向かって延設されて互いに組み合う固定部及び取付部が形成され、それら固定部及び取付部が操作部材の案内孔を挿通する案内突部として兼用されることを特徴とする。
【００１２】
また、このような遊技機用発射ハンドルは、操作部材を回転基準位置側に付勢する捻りバネを備え、
捻りバネは、コイル部の一端から延長された第１延長部をハンドル本体の案内突部に係合する一方、該コイル部の他端から延長された第２延長部を操作部材に係合することを特徴とする。
【００１３】
上記課題を解決するために、本発明の遊技機は、
上記のような構成を有する遊技機用発射ハンドルを備えることを特徴とする。
【発明の効果】
【００１４】
上記本発明の遊技機用発射ハンドルによれば、遊技者に操作される操作部材に複数の案内孔が形成され、その案内孔にハンドル本体の案内突部が挿通されることにより、操作部材がハンドル本体に所定の回転軸線周りで回転可能に配置されている。そして、それら操作部材とハンドル本体との組み付けにおいて、操作部材がハンドル本体に特定位置でのみ組み付け可能とする誤組防止機構を備えている。これによれば、操作部材をハンドル本体に対して誤った位置での組み付け（誤組）を防止して一義的に組み付けることが可能となり、組み付けが容易となる。ひいては、その誤組による手直しなどの作業も増えることがなくなり、不具合発生の問題も解消する。
【００１５】
そして、誤組防止機構の具体的な態様として、案内突部のうち少なくとも１つが、操作部材の回転軸線周りにおける所定の回転角度範囲以外の残余の角度範囲において、操作部材と干渉するように形成されている。これによれば、操作部材が所定回転軸線周りで回転するためのガイド手段である案内孔と案内突部と誤組防止機構として利用しているので、大型化することなくコンパクトに形成することができる。
【００１６】
上記本発明の遊技機によれば、遊技機用発射ハンドルにおける操作部材をハンドル本体に対して誤った位置での組み付け（誤組）を防止して一義的に組み付けることが可能な遊技機を簡単に実現することができる。
【発明を実施するための最良の形態】
【００１７】
以下に、本発明の実施形態を図面に基づいて説明する。図１は本発明の実施形態に係る遊技機の一例を示す正面図、図２は本発明の実施形態に係る遊技機用発射ハンドルの一例を示す正面図、背面図、左側面図及び斜視図、図３は図２の遊技機用発射ハンドルの分解斜視図の一部、図４は図３の残り部分の分解斜視図、図５ないし図９は各部材を示す図、図１０は図２の遊技機用発射ハンドルの回転基準位置における組み付け状態を説明する正面図、図１１は図２のＡ−Ａ断面拡大図である。
【００１８】
図１に示すように、遊技機１（以下、ぱちんこ機１ともいう）には、外枠、内枠、前面枠などからなる枠体１ａに遊技盤２が取り付けられている。この遊技盤２の盤面２ａ（前面）には、円形の遊技領域２ｂが形成されており、この遊技領域２ｂは上側領域を除く外周縁に沿って円弧状のガイドレール２ｃによって区画されている。そして、遊技領域２ｂの中央には、液晶表示部２ｄが搭載され、その液晶表示部２ｄの下方（遊技領域２ｂの中央下部）に大入賞装置２ｅが配置されている。また、液晶表示部２ｄと大入賞装置２ｅとの間には、始動入賞装置２ｆが配置されている。
【００１９】
また、ぱちんこ機１は、遊技盤２の下方の枠体１ａの前面側に遊技球を貯留する上皿３ａ及び下皿３ｂを形成している。また、ぱちんこ機１には、上皿３ａに貯留された遊技球を図示しない球発射装置が遊技盤２（遊技領域２ｂ）内に発射する際に、遊技者が操作する遊技機用発射ハンドル４（以下、発射ハンドル４ともいう）が配置されている。
【００２０】
なお、本明細書において、ぱちんこ機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００２１】
次に、発射ハンドル４について詳しく説明する。図２ないし図４に示すように、発射ハンドル４は、ぱちんこ機１の枠体１ａの前面側（図１参照）に取り付けられるベース部材１０と、遊技者に操作される部材であって、そのベース部材１０に対して、所定方向（例えば、前後方向）に延びる回転軸線Ｏ１周りで、かつ、回転基準位置から所定の回転角度範囲内で相対的に回転可能に配置された操作部材２０と、その操作部材２０をベース部材１０とで挟み込む形でベース部材１０に一体的に取り付けられるカバー部材３０と、操作部材２０を回転基準位置側に付勢する捻りバネ４０（付勢部材）とを備えている。なお、本実施形態において、ベース部材１０及びカバー部材３０がハンドル本体に相当する。
【００２２】
また、発射ハンドル４は、遊技者の接触を検出する発射タッチセンサ５０と、球発射装置の作動（遊技球の発射）を停止する発射停止スイッチ６０と、操作部材２０の回転量を検出する可変抵抗器（回転量検出装置）７０と、発光基板８０と、それら電子部品における配線を枠体１ａ側に接続するコネクタ９１を備えるコネクタキャップ９０と、装飾キャップ１００などを備えている。
【００２３】
ベース部材１０は、図５に示すように、筒状形態（例えば、円筒）をなす胴体部１１と、その胴体部１１の一端（先端部１１ａ）から該胴体部１１の中心線Ｌ（本実施例においては、回転軸線Ｏ１と同一）に沿って漸次拡開（例えば、皿形状、すり鉢形状、椀形状又は擬似半球形状）してなる拡開部１２とを有し、胴体部１１の他端（基端部１１ｂ）側のボス１９により、ぱちんこ機１の枠体１ａ前面側にコネクタ９１を接続するとともに取り付けられる。なお、操作部材２０は、この拡開部１２に対して、カバー部材３０によって挟み込まれる形で回転軸線Ｏ１周りで相対的に回転可能に配置される。
【００２４】
また、ベース部材１０には、カバー部材３０を取り付ける複数（例えば、３個）の固定部１３ａ，１３ｂ，１３ｃ（以下、まとめて固定部１３ともいう）が中心線Ｌに沿って延設されている。そして、固定部１３は、胴体部１１の中心線Ｌ方向からみて、胴体部１１の外周部１１ｃの外縁より内側に形成されている。
【００２５】
これによれば、カバー部材３０を固定するベース部材１０の固定部１３が、胴体部１１外縁内側から形成されているので、言い換えれば、固定部１３が拡開部１２から形成されていないので、遊技者から視認し難い後側などにおいても、固定部１３で締結する締結部材としてのビスＳ（図１１参照）が外側に露出せず、分解などされず、防犯性の向上を図ることができる。したがって、拡開部１２には、締結部材を締結するための穴なども形成されないため、美観も損なうことなく、遊技者がハンドルを違和感なく握ることができる。さらには、拡開部１２に固定部１３が形成されないので、拡開部を利用した設計の自由度が飛躍的に向上し、化粧加工を施すなどの装飾効果を持たせることが可能となる。また、固定部１３が胴体部１１外縁よりも内側に集約することで、全体的に小型化、省スペース化となる。
【００２６】
なお、本実施形態においては、ベース部材１０は、光が透過する光透過性を有する合成樹脂材によって形成され、拡開部１２の内周面１２ａにローレットなどの凹凸加工が施されており、発光基板８０の発光部８２による光を反射、拡散して、演出効果を高めている。また、ベース部材１０には、詳しい説明は省略するが、上記の各部材をそれぞれ固定するための配置スペースや、それら部材を固定するための固定部及びビス孔などが形成されている。
【００２７】
カバー部材３０は、図６に示すように、円形の板状をなすカバー本体３１と、そのカバー本体３１の外周縁から立ち上がる（垂れ下がる）外周壁部３２と、ベース部材１０の固定部１３に対応する複数（例えば、３個）の取付部３３ａ，３３ｂ，３３ｃ（以下、まとめて取付部３３ともいう）とを備えている。取付部３３は、カバー部材３０をベース部材１０に取り付けた際に、ベース部材１０の中心線Ｌに沿うように延設されている。
【００２８】
したがって、図１１に示すように、カバー部材３０の取付部３３とベース部材１０の固定部１３とが、ベース部材１０の胴体部１１の中心線Ｌ方向からみて、その胴体部１１の外周部１１ｃの外縁より内側でビスＳ（締結部材）によって連結される。具体的には、ベース部材１０の固定部１３及びカバー部材の取付部３３は、相手側に向かって延設されて互いに組み合うように連結され、ビスＳがベース部材１０の内側に胴体部１１の基端部１１ｂ（拡開部１２とは反対側）側から挿入される形で連結される（換言すれば、ビスＳがベース部材１０の内側で拡開部１２とは反対側から挿入する形で連結している）。
【００２９】
これによれば、カバー部材３０をベース部材１０に取り付ける際には、所定の治具Ｔを用いて胴体部１１の内側を拡開部１２とは反対側からビスＳによって一体的に固定するので、意匠面でない内側で組み付けることとなり、不良発生を抑制して歩留まり向上を図ることができる。なお、固定部１３と取付部３３とのどちらか一方を板状に形成し、他方をその板状の相手側まで延設する構成としてもよい。
【００３０】
また、カバー部材３０には、後述するが、操作部材２０の軸部２３の先端に対向して、捻りバネ４０を保持する保持部３４や、発光基板８０の発光部８２に対応して開口する貫通孔３５、並びに装飾キャップ１００を支持するキャップ支持部３６などを備えている。
【００３１】
そして、ハンドル本体（ベース部材１０，カバー部材３０）には、後述する操作部材２０に形成される複数の案内孔２４のうち予め定められた案内孔２４にそれぞれ挿通され、操作部材２０を回転軸線Ｏ１周りで相対的に回転可能に支持する複数の案内突部Ｇを有している。なお、本実施形態においては、案内突部Ｇは、固定部１３ａ，１３ｂ及び取付部３３ｃによって構成されている。
【００３２】
次に、操作部材２０は、図７に示すように、回転軸線Ｏ１に交差（直交）し、円形の板状をなす回転本体部２１と、その回転本体部２１の外周縁から回転軸線Ｏ１に沿って延出される延出部２２とを有し、カップ形状に形成されている。また、回転本体部２１には、回転軸線Ｏ１に沿って立ち上がり、捻りバネ４０を配設する軸部２３と、操作部材２０が回転する所定の回転角度範囲を形成するための複数（例えば、２個）の案内孔２４ａ，２４ｂ（以下、まとめて案内孔２４ともいう）と、可変抵抗器７０の回動軸７１を軸支するために内側に弾性部材７９ａを有する弾性係合部材７９を配置する収容部２５とが設けられている。また、延出部２２の内周面には、回転軸線Ｏ１（内方）に向かって突出し、回転基準位置で発射停止スイッチ６０を押圧する押圧部２６が形成され、外周面には、遊技者が操作する際に例えば指などを引っ掛ける指掛け部２７が外方に向かって突出形成されている。
【００３３】
捻りバネ４０は、図８に示すように、コイル状に線材が巻回されるコイル部４１と、そのコイル部４１の一端部４１ａから延長される第１延長部４２と、他端部４１ｂから延長される第２延長部４３とを備える。また、捻りバネ４０は、第１延長部４２がハンドル本体に係合（挿通）される一方、第２延長部４３が操作部材２０に係合されて、操作部材２０をハンドル本体に対して回転基準位置側に付勢するものである（図１０参照）。具体的には、第１延長部４２が案内突部Ｇであるベース部材１０の固定部１３ａに係合される一方、第２延長部４３が操作部材２０の軸部２３の係合部２３ａに係合されている。
【００３４】
捻りバネ４０は、第２延長部４３がコイル部４１の内側に折れ曲がる形で延長されており、コイル部４１が操作部材２０の軸部２３の外周に遊嵌されるとともに、第２延長部４３が軸部２３の係合部２３ａに係合されている。なお、本実施形態においては、第１延長部４２は、所定長さ外側に直線的に延長されるとともに、先端部をコイル状に巻回して係合し易い形状に形成されている。
【００３５】
これによれば、操作部材２０においてコイル部４１を遊嵌する軸部２３に係合部２３ａが形成されるので、例えばコイル部４１の外側に延長する延長部を係止する係合部を別途設ける必要がなくなり、特に案内孔２４の形成位置、大きさなどの設計の自由度を拡大することが可能となる。さらには、コンパクト化や省スペース化を図ることができる。
【００３６】
また、第２延長部４３のコイル部４１近傍（根元）で操作部材２０を係合できるので、第２延長部４３を長く延ばす必要がなくなり、操作部材２０が回転したときにコイル部４１の歪み（変形）や第２延長部４３に掛かる負荷を抑制するとともに、捻りバネ４０の付勢力を分散させることなく作用させることができる。
【００３７】
また、コイル部４１を軸部２３に遊嵌する向きは、特に規定するものではないが、第２延長部４３が形成された端部側を軸部２３の基端側（回動本体部２１側）に位置するように遊嵌される場合には、第２延長部４３が軸部２３の係合部２３ａから脱落しないようにコイル部４１自身が規制手段となり、確実に第２延長部４３を操作部材２０に係合することができ、ひいては、組み付けを容易にできる。なお、本実施形態においては、捻りバネ４０は、軸部２３に対してカバー部材３０の保持部３４や発光基板８０の固定板部材８９によって抜け止めされている。
【００３８】
ここで、操作部材２０は、図１０，図１１に示すように、案内孔２４ａにベース部材１０の固定部１３ａ，１３ｂ（案内突部Ｇ）が挿通され、案内孔２４ｂにカバー部材３０の取付部３３ｃ（案内突部Ｇ）が挿通されることにより、それら案内孔２４が形成された回転軸線Ｏ１周りの所定の角度範囲において回転可能に配置されている。すなわち、操作部材２０は、矢印Ａ方向（図中反時計回り）に回転した場合には、固定部１３ａが案内孔２４ａに当接し、矢印Ｂ方向（図中時計回り）に回転した場合には、固定部１３ｂが案内孔２４ａに当接して所定の回転角度範囲を規制している。そして、本実施形態においては、捻りバネ４０によって操作部材２０が矢印Ａ方向に付勢されており、固定部１３ａが案内孔２４ａに当接して規制された位置が回転基準位置に相当する（図１０参照）。
【００３９】
発射タッチセンサ５０は、図９に示すように、遊技者が接触する接触リング５１と、その接触リング５１に電気的に接続され、静電気容量の変化を検出して接触リング５１に遊技者が接触したか否かを検出するタッチ本体部５２とを含み構成されている。また、発射タッチセンサ５０には、操作部材２０と接触リング５１とを電気的に接続する接触バネ５３が設けられている。接触バネ５３は、コイル状に線材が巻回されたバネ部５３ａと、そのバネ部５３ａから外側に延長される腕部５３ｂとを有し、バネ部５３ａが弾性係合部材７９の外周に配設されるとともに（図１１参照）、腕部５３ｂの先端部が、接触リング５１のビス孔５１ａに対応して、図示しないビスなどの締結部材によって、接触リング５１及びタッチ本体部５２とともにベース部材１０に共締め固定される。すなわち、本実施形態においては、操作部材２０の表面部にメッキ加工などを施して導電性を持たせることができるので、操作部材２０を発射タッチセンサとして機能させることができる。このように、接触リング５１と操作部材２０との２重構造とすることで、仮に操作部材２０のメッキが剥がれてしまった場合にも、確実に遊技者の接触を検出することが可能となる。なお、接触リング５１を省略してもよい。
【００４０】
図４に戻り、発射停止スイッチ６０は、スイッチ本体部６２に対して自身の一端部６１ａを支点として傾動可能にスイッチレバー６１が設けられており、そのスイッチレバー６１がベース部材１０から突出するように配置されている（図２（ｂ）参照）。したがって、発射停止スイッチ６０は、操作部材２０が回転基準位置の状態でスイッチレバー６１が押圧部２６によって押圧されるように配置されており、操作部材２０が回転操作された場合には、その押圧部２６の押圧が開放されて発射停止を解除するとともに、遊技者によってスイッチレバー６１の操作（押圧）が可能となる。なお、発射停止スイッチ６０は、ベース部材１０に位置決めされて収容され、固定板部材６９によってベース部材１０に固定支持されている。
【００４１】
可変抵抗器７０は、弾性係合部材７９によって操作部材２０に軸支される回転軸７１と、ベース部材１０に固定支持され、回転軸７１の回転量を検出する可変本体部７２とを含み構成されている。
【００４２】
発光基板８０は、図３に示すように、環状の円盤形態をなす基板８１の前面及び後面の両面に、光を照射する発光部８２が複数実装されている。また発光基板８０は、基板８１に厚み方向に貫通する挿通孔８３ａ，８３ｂ，８３ｃが形成され、その挿通孔８３ａ，８３ｂ，８３ｃカバー部材３０の取付部３３が挿通され、カバー部材３０の外周壁部３２の内側に配置される。
【００４３】
装飾キャップ１００は、カバー部材３０の前面を被うように固定され、その内面１００ａにローレットなどの凹凸加工が施されており、発光基板８０の発光部８２による光を反射、拡散して、演出効果を高めている。なお、装飾キャップ１００は、カバー部材３０と一体的に形成する形で省略してもよい。
【００４４】
次に、以上のような構成を有する発射ハンドル４は、操作部材２０がハンドル本体（ベース部材１０，カバー部材）に組み付けられる際の誤組を防止する誤組防止機構を備えている。以下、誤組防止機構について説明する。誤組防止機構として、ハンドル本体（ベース部材１０，カバー部材３０）の複数の案内突部Ｇ（固定部１３，取付部３３）のうち少なくとも１つが、操作部材２０の回転軸線Ｏ１周りにおける所定の回転角度範囲以外の残余の角度範囲において、操作部材２０と干渉するように形成されている。これにより、操作部材２０がハンドル本体に特定位置でのみ組み付け可能となる。
【００４５】
これによれば、操作部材２０をハンドル本体に対して誤った位置（残余の角度範囲）での組み付け（誤組）を防止して一義的に組み付けることが可能となり、組み付けが容易となる。ひいては、その誤組による手直しなどの作業も増えることがなくなり、不具合発生の問題も解消する。
【００４６】
具体的には、案内突部Ｇは、図１０に示すように、回転軸線Ｏ１からの距離をｄとするベース部材１０の固定部１３ａ，１３ｂ（直径Ｒ）と、回転軸線Ｏ１からの距離をＤ（Ｄ＞ｄ）とするカバー部材３０の取付部３３ｃ（直径ｒ：Ｒ＞ｒ）によって構成されている。すなわち、複数の案内突部Ｇうち少なくとも１つは、ハンドル本体における回転軸線Ｏ１からの距離が、他の案内突部Ｇの回転軸線Ｏ１からの距離と異なるように位置して形成されている。また、見方を換えれば、複数の案内突部Ｇうち少なくとも１つは、操作部材２０の案内孔２４に対応する回転軸線Ｏ１における径方向の幅が、他の案内突部Ｇの幅と異なるように形成されている。
【００４７】
これにより、操作部材２０をハンドル本体（ベース部材１０）に組み付けるときに、仮に、誤って取付部３３ｃを案内孔２４ａに挿通した場合には、固定部１３ａ，１３ｂが回転本体部２１に干渉して案内孔２４ｂに挿通することができず、結果として組み付けることができない。したがって、操作部材２０がハンドル本体に特定位置（所定の回転角度範囲）でのみ組み付け可能となる（残余の角度範囲においては組み付け不可となる）。
【００４８】
すなわち、操作部材２０において捻りバネ４０を係合する係合部２３ａが、回転中心である軸部２３に形成されることにより、案内孔２４の形成位置や大きさなど設計の自由度が広がり、簡単に誤組防止機構を形成することができる。また、操作部材２０がハンドル本体に対して所定回転軸線Ｏ１周りで回転するためのガイド手段である案内孔２４と案内突部Ｇとを誤組防止機構として兼用するので、大型化することなくコンパクトに形成することができる。
【００４９】
また、回転本体部２１における案内孔２４の設計の自由度が広がることで、案内孔２４ｂのように開口面積を広げ、前方に配置される発光基板８０の発光部８２の光を後方側に簡単に誘導することができる。その場合にも、回転本体部２１の面積を十分に確保することができ、強度的な問題も心配ない。また、上述のごとく、操作部材２０（回転本体部２１）の表面部にメッキ等を施すことができ、その場合には、広く形成された回転本体部２１に鏡面加工を施して、発光基板８０の発光部８２からの照射光を反射させる反射面として形成することができる。
【００５０】
次に、以上のような構成を有する発射ハンドル４について、ぱちんこ機１上での発射ハンドル４の作動について概略を説明する。遊技者が遊技を開始するために発射ハンドル４を把持して、操作部材２０が回転操作されると、上皿３ａに貯留された遊技球が図示しない球発射装置に送り出され、その球発射装置により遊技盤２（遊技領域２ｂ）内に遊技球が発射される。このとき、可変抵抗器７０が操作部材２０の回転基準位置からの回転角度範囲を検出するとともに、発射タッチセンサ５０が遊技者による接触を検出した場合に、その可変抵抗器７０の検出した値に基づく予め設定された強さで遊技球が遊技盤２内に発射される。
【００５１】
このとき、発射ハンドル４には、発光基板８０が搭載されているので、遊技球が入賞したとき等の遊技状態に対応させて発光部８２の発光態様を変化（例えば、点滅等）させることで、遊技者にとって入賞期待感等を与えることができ、遊技に対する興趣を飛躍的に高められる。
【００５２】
次に、本発明に係る発射ハンドルの別の実施形態を、図面を参照しつつ説明する。なお、以下の説明では、上述した実施形態と異なる部分について主に述べ、重複する部分については同番号を付して説明を省略または簡略化する。図１２は図１０に対応する別の実施形態に係る遊技機用発射ハンドルの一例を示す説明図である。
【００５３】
図１２に示すように、別の実施形態に係る発射ハンドル４Ａは、ベース部材１０において、捻りバネ４０の第１延長部４２が係合される係合突部１４が固定部１３とは別に延設されている。そして、操作部材２０には、係合突部１４が挿通される案内孔２４Ａが回転本体部２１に形成されている。すなわち、捻りバネ４０の第１延長部４２が案内突部Ｇであるベース部材１０の係合突部１４に係合されている。これにより、係合突部１４と案内孔２４Ａとが誤組防止機構を構成することとなり、操作部材２０をベース部材１０に組み付ける際には、係合突部１４を案内孔２４Ａに挿通させるだけで、確実に特定位置で組み付けることができる。
【００５４】
なお、発射停止スイッチ６０をベース部材１０に固定支持するための固定板部材６９や、発光基板８０をカバー部材３０に固定支持するための固定板部材８９に操作部材２０に向けて突出する案内突部を形成し、それに対応する案内孔を形成することで、簡単に誤組防止機構を形成することができる。
【００５５】
また、上記実施形態においては、操作部材２０において案内孔を、回転本体部２１を貫通する貫通孔として説明したが、これに限らず案内突部が挿入可能な溝状に形成してもよい。さらに、ハンドル本体側に捻りバネ４０のコイル部４１を配設する軸部を形成してもよく、その場合には、ハンドル本体に係合する第１延長部４２がコイル部４１の内側に折れ曲がる形で延長されて、その軸部の係合部に係合される。
【００５６】
本発明では遊技機の一例としてぱちんこ機について説明したが、他に例えばアレンジボール遊技機、雀球遊技機等の発射ハンドルが設けられる遊技機に適用することができ、上記実施例に限定されるものではなく、特許請求の範囲の趣旨を逸脱しない限りにおいて、目的、用途に応じて当業者の知識に基づく種々の変更が可能である。
【図面の簡単な説明】
【００５７】
【図１】本発明の実施形態に係る遊技機の一例を示す正面図。
【図２】本発明の実施形態に係る遊技機用発射ハンドルの一例を示す正面図、背面図、左側面図及び斜視図。
【図３】図２の遊技機用発射ハンドルの分解斜視図の一部。
【図４】図３の残り部分の分解斜視図。
【図５】ベース部材の正面図、背面図、左側面図及び斜視図。
【図６】カバー部材の正面図、背面図、左側面図及び斜視図。
【図７】操作部材の正面図、背面図、左側面図及び斜視図。
【図８】捻りバネの正面図、背面図及び斜視図。
【図９】発射スイッチ（ユニット）の正面図、背面図、左側面図及び斜視図。
【図１０】回転基準位置における組み付け状態を説明する正面図。
【図１１】図２のＡ−Ａ断面拡大図。
【図１２】図１０に対応する別の実施形態に係る遊技機用発射ハンドルの一例を示す説明図。
【符号の説明】
【００５８】
１…ぱちんこ機（遊技機）              １ａ…枠体
２…遊技盤                            ２ａ…遊技領域
４…発射ハンドル（遊技機用発射ハンドル）
１０…ベース部材（ハンドル本体）      １１…胴体部
１１ａ…先端部                        １１ｂ…基端部
１１ｃ…外周部                        １２…拡開部
１３，１３ａ，１３ｂ，１３ｃ…固定部
２０…操作部材                        ２１…回転本体部
２２…外周壁部                        ２３…軸部
２３ａ…係合部
２４，２４ａ，２４ｂ，２４Ａ…案内孔
３０…カバー部材（ハンドル本体）
３１…カバー本体                      ３２…外周壁部
３３，３３ａ，３３ｂ，３３ｃ…取付部
３４…保持部                          ３５…貫通孔
３６…キャップ支持部                  ４０…捻りバネ（付勢部材）
４１…コイル部                        ４２…第１延長部
４３…第２延長部                      ５０…発射タッチセンサ
５１…接触リング                      ５２…タッチ本体部
５３…接触バネ                        ６０…発射停止スイッチ
６１…スイッチレバー                  ６２…スイッチ本体部
７０…可変抵抗器（回転量検出装置）    ７１…回転軸
７２…可変本体部                      ７９…弾性係合部材
８０…発光基板                        ８１…基板
８２…発光部
８３，８３ａ，８３ｂ，８３ｃ…挿通孔
９０…コネクタキャップ                １００…装飾キャップ
Ｇ…案内突部                          Ｌ…中心線
Ｏ１…回転軸線                        Ｓ…ビス（締結部材）
Ｔ…治具
【図１】
0005207526.tif 000002
【図２】
0005207526.tif 000003
【図３】
0005207526.tif 000004
【図４】
0005207526.tif 000005
【図５】
0005207526.tif 000006
【図６】
0005207526.tif 000007
【図７】
0005207526.tif 000008
【図８】
0005207526.tif 000009
【図９】
0005207526.tif 000010
【図１０】
0005207526.tif 000011
【図１１】
0005207526.tif 000012
【図１２】
0005207526.tif 000013